(57)【要約】  【課題】  本発明では、直飲み式の利点である手軽に飲用が可能であるという利点を活かしつつ、外観上の見栄えも良好で使い勝手のよい携帯飲料容器の提供を目的とする。  【解決手段】  飲料を貯液する胴部容器１２と、該胴部容器１２に対して着脱可能に取り付ける中栓１３（、２６、３２、４２）と、該中栓１３（、２６、３２、４２）を隠蔽可能に取り付けられる蓋体１４とを備えた携帯飲料容器１１、２５、３１、４１であって、上記中栓１３（、２６、３２、４２）の上部に、飲料の飲み口となる飲み口部１８、１９（、２７、２８、３３、３４、４３、４４）を少なくとも２つ配設し、上記中栓１３（、２６、３２、４２）内に、上記胴部容器１２内の飲料が上記各飲み口部１８、１９（、２７、２８、３３、３４、４３、４４）を通過して注出可能な注出路を備え、上記中栓１３（、２６、３２、４２）に、上記注出路を開閉可能に閉塞する閉塞手段１６（、４６）を形成した携帯飲料容器１１（、２５、３１、４１）。  【選択図】    図２
2005193932.tif 000002
【特許請求の範囲】
【請求項１】
飲料を貯液する胴部容器と、該胴部容器に対して着脱可能に取り付ける中栓と、該中栓を外側から隠蔽可能に取り付けられる蓋体とを備えた携帯飲料容器であって、
上記中栓の上部に、飲料の飲み口となる飲み口部を少なくとも２つ配設し、
上記中栓内に、上記胴部容器内の飲料が上記各飲み口部を通過して注出可能な注出路を備え、
上記中栓に、上記注出路を開閉可能に閉塞する閉塞手段を形成した
携帯飲料容器。
【請求項２】
前記閉塞手段を、前記中栓の下端部において上記注出路を閉塞可能に形成した
請求項１に記載の携帯飲料容器。
【請求項３】
前記閉塞手段を、上記飲み口部の開口部を閉塞する飲み口用蓋体で形成した
請求項１に記載の携帯飲料容器。
【請求項４】
前記複数の飲み口部、又はその近傍には、飲み口を外観上識別する識別手段を設けた
請求項１、２、又は３に記載の携帯飲料容器。
【発明の詳細な説明】
【技術分野】
【０００１】
この発明は、水やお茶など各種の飲料を入れておく携帯型の携帯飲料容器に関する。
【背景技術】
【０００２】
このような携帯飲料容器には、大きく２つのタイプがある。ひとつは、内部の飲料を飲むコップや、コップとして利用できる蓋を備えたもので、容器を傾けてコップや蓋に飲料を注いでから飲むものである。他のひとつは、容器の上端部に形成したひとつの飲み口に直接口を付けて飲む直飲み式のものである。
【０００３】
前者の容器では、液体を注ぎ出してから間接的に飲むので、ピクニックやハイキング等に出かけた時にひとつの容器の飲料を複数人で飲むことにさしたる抵抗はない。このため、飲料を共用できることによる利点があった。
【０００４】
しかし、後者の容器では、飲料を飲むのに唯一の飲み口に直接口を付けて飲むので、複数人で飲むことに大きな抵抗がある。このため、ピクニックやハイキング等で誰かが飲料を忘れたり、飲み干してしまって足りなかったりした時に対応できないなど、不便なことがあった。
【０００５】
従来、注ぎ出し式と直飲み式とを選択できるようにしたもの（特許文献１参照）が提案されていた。しかしこれは、上述のような不便な点を解消する一助にはなるものの、部品点数は多く、飲むための手順も多いという難点がある。いわば、直飲み式の利点を減殺してしまうものであった。
【０００６】
【特許文献１】特開平９−３１３３６３号公報
【発明の開示】
【発明が解決しようとする課題】
【０００７】
そこで本発明では、直飲み式の利点である手軽に飲用が可能であるという利点を活かしつつ、外観上の見栄えも良好で使い勝手のよい携帯飲料容器の提供を目的とする。
【課題を解決するための手段】
【０００８】
本発明の携帯飲料容器は、飲料を貯液する胴部容器と、該胴部容器に対して着脱可能に取り付ける中栓と、該中栓を隠蔽可能に取り付けられる蓋体とを備えた携帯飲料容器であって、上記中栓の上部に、飲料の飲み口となる飲み口部を少なくとも２つ配設し、上記中栓内に、上記胴部容器内の飲料が上記各飲み口部を通過して注出可能な注出路を備え、上記中栓に、上記注出路を開閉可能に閉塞する閉塞手段を形成することを特徴とする。
【０００９】
上記飲み口部は、例えば上記中栓に対してに突き出して形成することができる。その他、蛇腹形状を備えて伸縮可能に形成する、あるいはストローや哺乳瓶の乳首部材のような形態で形成するなど飲料を飲むことが可能な構成であればよい。
【００１０】
上記閉塞手段は、スイッチ、操作レバー等を用いて、上記注路を開口可能に閉塞する手段である。
【００１１】
さらに、上記閉塞手段を、前記中栓の下端部において上記注出路を閉塞可能に形成することができる。
【００１２】
上記構成を採れば、携帯飲料容器の使用者が胴部容器内に貯液している飲料を飲む時には、上記蓋体を取り外して、上記閉塞手段を開操作すれば、中栓の下端部において注出路を開口することができる。これにより、各飲み口部の注出路は、胴部容器内とつながっているため、全ての飲み口部を開口状態とすることができる。
【００１３】
すなわち、使用者は、複数の飲み口部のうち、自ら選択した任意の飲み口部から飲料を飲むことができる。飲料を共用する人がいる場合には、その共用する人同士で、自分の飲み口を予め決めておくと、飲料を共用することに対する抵抗感を低減又は皆無化することができる。
【００１４】
また、上記飲み口部は、任意の飲み口部から飲用するために、携帯飲料容器を傾倒させたとき、閉状態となっている他の飲み口部から流出しないように、上記傾倒させたときにおける携帯飲料容器内の飲料の水位よりも、上記他の飲み口部の開口部の位置が高くなるように飲み口部自体を伸張して形成するとよい。
【００１５】
さらに、上記飲み口部の形状を例えば、屈曲させたり、湾曲させて形成してもよい。これにより、携帯飲料容器を傾倒させたとき、他の飲み口部から流出しようとする飲料は、上記飲み口部の内周部に衝突するため、その勢いを減衰することができ、飲料の流出を未然に防止することができる。  
その他、飲み口部を回動可能に形成し、開口部の方向を任意に変更可能に形成してもよい。
【００１６】
さらに、前記閉塞手段を、上記飲み口部の開口部を閉塞する飲み口用蓋体で形成することができる。
【００１７】
上記飲み口用蓋体は、例えば上記飲み口部に嵌め込み可能なキャップ部材、あるいは、飲み口部における開口部に嵌め込んで閉口する栓部材等で形成することができる。
【００１８】
上記構成をとれば、使用者は、使用する飲み口部における上記飲み口用蓋体を取り外して、飲み口部を開口すれば、飲み口部ごとに容易に開口操作をすることができる。
【００１９】
さらに、本発明の携帯飲料容器は、前記複数の飲み口部、又はその近傍には、飲み口部を外観上識別する識別手段を設けることを特徴とする。
【００２０】
上記識別手段は、飲み口部自体又はその付属品を色分けしたり、飲み口部に目印やラベルなどを設けたり、飲み口部に取付ける蓋の形状を違えたりするなど、形状、模様若しくは色彩又はこれらの結合で適宜構成する。
【発明の効果】
【００２１】
以上のように、この発明によれば、直飲みをする飲み口部を複数設けているので、飲み口部を共用せずとも複数人で同一の飲料を飲むことができる。このため、飲料の共用が可能で、例えば飲料を忘れた人や足りなくなった人に分け与えることができて、便利である。
【００２２】
さらに、飲み口部を複数構成しても、該飲み口部は、中栓に形成しており、中栓を上記蓋体で隠蔽することができるため、例えば、上記複数の飲み口部が、突き出した形態であっても、それらを覆うことができ、見栄えを良好に保つことができる。
【００２３】
さらに、携帯飲料容器を扱う際に、上記突き出した形態の飲み口部が、他の部材に引っ掛かり易いこともないため、容易に扱うことができる。
【００２４】
また、蓋体を取り外せば、ワンタッチで閉塞手段を開口して所望の飲み口部から飲料を飲むことができるため、直飲み式の飲料を飲むための操作が簡単であるという利点を有する。
【００２５】
また、飲み口部やその近傍に、色などからなる識別手段を設けて、飲み口部を外観上識別できるようにすると、飲み口部を間違えることはなく便利である。また、色で識別手段を構成すると、飲み口部がひとつである場合よりも外観上カラフルにすることができ、意匠観を増すことができる。
【発明を実施するための最良の形態】
【００２６】
この発明の一実施形態を、以下図面を用いて説明する。  
図１、図２に示すごとく、本発明の携帯飲料容器１１は、飲料を貯液する胴部容器１２と、該胴部容器１２の上部に着脱可能に取り付けられる中栓１３と、該中栓１３を隠蔽可能に上記胴部容器１２に対して取り付けられる蓋体１４とを備えている。
【００２７】
具体的には、上記胴部容器１２は、断熱性の高いステンレス製であり、その構成は、真空二重構造により、有底円筒状に形成している。また、携帯飲料容器１１の上部は、段状に径細となり、その段状の部位の外周部には、上記蓋体１４を取り付けるための螺合形成部１２ａを形成している。さらに、上部は、除々に径細になり、その後上方に突き出した中栓取り付け部１２ｂを有している。該中栓取り付け部１２ｂの上端部には、開口部を形成している。
【００２８】
上記中栓取り付け部１２ｂにおける外周部には、上記中栓１３を取り付けるための螺合形成部１２ｃを形成している。また、上記開口部の口縁部には、環状のゴム部１２ｄ材が着脱可能に嵌め込まれた状態で一体に取り付けている。
【００２９】
次に、図２、図３に示すごとく、上記中栓１３は、大別すると、飲料が通過する注出路を備えた本体部材１５と、上記注出路を閉塞する閉塞手段１６と、胴部容器１２に取り付ける取り付け部材１７とからなる。
【００３０】
上記本体部材１５は、上底面を有し、上記胴部容器１２の中栓取り付け部１２ｂに嵌め込み可能な円筒状に形成している。
【００３１】
さらに、上底面の中心部には、上記閉塞手段１６を取り付け可能に凹んだ閉塞手段取り付け部１５ａを形成している。上記中栓取り付け部１２ｂの上底面における閉塞手段取り付け部１５ａを隔てた所定の対向部位には、それぞれ飲み口部１８、１９を立設している。
【００３２】
上記飲み口部１８、１９は、上方に突き出した後、互いの飲み口部１８、１９の開口部が反対方向になるよう斜め上方に屈折して突き出した円筒状に形成している。
【００３３】
すなわち、上記本体部材１５の内部には、胴部容器１２内に貯液している飲料がいずれの飲み口部１８、１９からでも注出可能とする注出路を本体部材１５の下端部から開口部まで有している。
【００３４】
また、本体部材１５の下端部外周部には、ゴム部材１５ｄを嵌め込んでいる。これにより、中栓１３を胴部容器１２に差し込んだとき、該ゴム部材１５ｄが胴部容器１２の内壁面に密接し、飲料が流出することを防止することができる。
【００３５】
一方、上記閉塞手段１６は、上記注出路を閉塞する弁体２０、該弁体２０を可動するばね２１、上記弁体２０を操作する操作レバー２２などからなる。
【００３６】
上記弁体２０は、本体部材１５下端部と同径の円板状の部位の中心から上方に突き出した摺動部２０ａを立設した形状に形成している。上記弁体２０の円板状の部位における本体部材１５下端部との接触部位には、ゴム部材２０ｂを取り付けている。
【００３７】
また、上記摺動部２０ａの上端部は、椀状に形成している。そして、閉塞手段取り付け部１５ａの下面中心部は、上記弁体２０における摺動部２０ａを挿通可能な挿通孔を形成している。さらに、上記閉塞手段取り付け部１５ａの下面における挿通孔１５ｂの外周部には、ばね２１を載置するばね載置部１５ｃを形成している。
【００３８】
上記弁体２０における摺動部２０ａを上記閉塞手段取り付け部１５ａにおける挿通孔１５ｂへ下側から挿通し、上記ばね載置部１５ｃにばね２１を載置した状態で上記摺動部２０ａの上部外周部にばね２１を保持する円板状のばね保持部２０ｃを嵌め込めば、弁体２０を本体部材１５に取り付けることができる。
【００３９】
さらに、前記操作レバー２２は、回動することで弁体２０を押下させるカム面２２ａを形成し、この押下する方向にカム面２２ａを回動すると起立する抓み２２ｂをカム面２２ａの反対方向に連設し、その中間部位には、回動のための軸芯２０ｃを挿通する挿通孔２２ｃを形成している。
【００４０】
上記操作レバー２２を軸芯２０ｃに挿通し、円板状をした閉塞手段取り付け部１５ａの蓋部材２０ｄに枢着している。さらに、上記カム面２２ａを上記摺動部２０ａの上端部に当接させた状態で上記蓋部材２０ｄを閉塞手段取り付け部１５ａに嵌め込んでいる。
以上により、操作レバー２２の抓み２２ｄを倒伏させるとばね２１の付勢力により本体部材１５の下端部に栓体が当接するように受動的に上昇して閉塞することができる。
【００４１】
一方、中栓１３における前記取り付け部材１７は、中栓取り付け部１２ｂに嵌め込み可能に形成し、中栓１３は、取り付け部材１７の中央部に本体部材１５を嵌め込んで一体に形成している。さらに、取り付け部材１７の下部内周部には、螺合形成部１７ａを形成し、中栓取り付け部１２ｂの螺合形成部１２ｃとの螺合により取り付け可能に形成している。
【００４２】
また、前記蓋体１４は、合成樹脂で形成するとともに、開口部を有した有底円筒状に形成している。上記蓋体１４における開口端部側の内周面には、上記胴部容器１２上部の段状の部位に形成した螺合形成部１２ａと螺合により取り付け可能な螺合形成部１４ａを形成している。
【００４３】
なお、上記蓋体１４は、透明色で形成してもよい。これにより、使用者は、直飲み式の携帯飲料容器１１であって、しかも複数の飲み口部を有することを一目で確認することができる。  
携帯飲料容器１１は上述する構成を採る。
【００４４】
次に、上記携帯飲料容器１１の使用者が胴部容器１２内に貯液された飲料Ａを飲む際の手順について説明する。まず、使用者は、蓋体１４を回動させながら胴部容器１２との上記螺合形成部１２ａ、１４ａの係合を解除することで蓋体１４を取り外す。そして、使用者は、倒伏している操作レバー２２を指先で抓みながら該操作レバー２２を起立させる。
【００４５】
このように、上記操作レバー２３を起立させれば、弁体２０が下降し、本体部材１５下端部のゴム部材１５ｄと弁体２０下部のゴム部材２０ｂとの接触が解かれて隙間が生じる。これにより、飲み口部１８、１９と胴部容器１２との注出路は一体につながることになる。
【００４６】
これにより、使用者は、図４（ａ）に示すごとく、飲み口とする一方の飲み口部１９側へ携帯飲料容器１１を傾倒するとともに、該飲み口部１９に口をつけて胴部容器１２内の飲料Ａを飲むことができる。
【００４７】
仮に、図４（ｂ）に示すごとく、使用者が勢いよく飲料を飲むために、一方の飲み口部１９に口をつけた状態で上記携帯飲料容器１１をさらに傾倒した場合であっても、使用していない他方の飲み口部１８の開口部１８ａよりも胴部容器１２内の飲料Ａの水位が低い位置になるよう、各飲み口部１８、１９を上記形態で、本体部材１５に取り付けている。  
すなわち、使用者が携帯飲料容器１１を傾倒したときに該携帯飲料容器１１内の水位が他方の開口部にまで達しないように上記２つの飲み口部１８、１９における開口部１８ａ、１９ａを互いに遠ざけた位置に形成している。
【００４８】
さらに、飲み口部１８、１９を屈折させた形状とすることで携帯飲料容器１１を傾倒したとき、胴部容器１２内で付勢して他の飲み口部１８内に流出した飲料は、該他の飲み口部１８の内壁面に衝突し、その勢いを減衰することができる。
【００４９】
以上により、上記携帯飲料容器１１を傾倒しても、使用していない他方の飲み口部１８から飲料Ａが流出してくることがないため、使用者は、上記他方の飲み口部１８から飲料Ａが流出することを意識して飲料Ａを飲む必要もなく、携帯飲料容器１１を飲み易い所望の角度だけ傾倒させて飲料Ａを飲むことができる。
【００５０】
また、飲用後において使用者は、指で操作レバー２２を軽く抓んで倒伏させると、カム面２４ａが弁体２３を押下する力が解除され、バネ２１の付勢力により弁体２０は受動的に上昇する。そして、本体部材１５下端部のゴム部材１５ｄと弁体２０下部のゴム部材２０ｂとが再度、接触することにより、飲料Ａの注出路を閉鎖することができる。このようにして、飲料Ａは胴部容器１２内に完全に収められる。  
そして、蓋体１４で胴部容器１２に取り付けて中栓１３を隠蔽する。  
ここで、上記操作レバー２２は上方に突き出した形態の２つの飲み口部１８、１９の間に位置するが、使用者は、上述したようにワンタッチで操作レバー２２を操作することができるため、飲み口部１８、１９がレバー操作の邪魔になることがない。
【００５１】
また、上記操作レバー２２は、上記構成に限らずスイッチ（ボタン）等により、注出路の開閉操作を可能に形成しても構わない。さらに、上記飲み口部１８、１９は、使用していない他の飲み口部から流出しない配置、或いは飲み口部の形態であれば本体部材１５に３つ以上配設してもよい。
【００５２】
さらに、他の実施形態として、図５に示すごとく上記中栓２６は、それぞれ異なる色を有した飲み口部２７、２８を備えて形成してもよい。  
例えば、上記中栓２６は、一方の飲み口部２７を赤系統の色をした合成樹脂で形成し、他方の飲み口部２８を青系統の色をした合成樹脂で形成し、本体部材１５の飲み口部以外の部位（以下、本体部材２６の基部２９とする）を、白系統の色をした合成樹脂で形成することができる。
【００５３】
上記形態を採る場合、それぞれの飲み口部２７、２８、及び本体部材２６の基部２９はそれぞれ別々に射出成型により形成した後、本体部材２６の基部２９における飲み口部の立設部位に上記飲み口部２６ａ、２６ｂをそれぞれ熱溶着すれば、中栓２６を一体とすることができる。
【００５４】
上記構成を採れば、携帯飲料容器２５の持ち主である使用者は、自分の飲み口部２７又は２８を設定して該飲み口部の色を予め決定しておけば、他人と携帯飲料容器２５を共用する際においても、飲み口部を間違えることもなく、また迷うこともないため、スムーズに飲料Ａを飲むことができる。
【００５５】
加えて、上記２つの飲み口部は、それぞれ異なる模様、形状を備えて形成することができる。例えば、図６に示すごとく、携帯飲料容器３１における中栓３２には、一方の飲み口部３３における外周部には、長さ方向に複数の突起部を並設し、他方の飲み口部３４における外周部には、外周方向に複数の突起部を並設してもよい。
【００５６】
上記形態を採れば、例えば、夜間に使用する場合など、視界が明瞭でない場合であっても、飲み口部３３、又は３４に少し触れるだけで自分の飲み口部を特定することができる。  
もちろん、上記２つの飲み口部３３、３４は、それぞれ同色に形成し、模様や形状だけを異なる形態で形成してもよい。
【００５７】
また、上記中栓１３には、上述するごとく、弁体２３、操作レバー２４、及び本体部材１５における閉塞手段取り付け部１５ａ等を形成せずに、他の実施形態として、図７に示すごとく、中栓４２には、２つの飲み口部４３、４４の開口部を閉塞する合成樹脂製のキャップ部材４６を着脱可能に形成してもよい。
【００５８】
上記キャップ部材４６は、該キャップ部材４６の端部側における所定の部位に、同じく合成樹脂で形成した紐状の部材４６ａの一方の端部を溶着している。そして、上記紐状の部材４６ａの他方の端部側は、飲み口部４３、４４の下部に強固に締結されている。
【００５９】
上記構成により、使用者は、使用する飲み口部４３、又は４４におけるキャップ部材４６を取り外せば飲み口部４３、又は４４を開口することができる。  
すなわち、飲み口部４３、４４ごとに注出路を開口することができるため、携帯飲料容器４１を傾倒しても、他の飲み口部２２ｂから飲料Ａが流出することを確実に防止することができる。  
しかも、閉塞手段が上記キャップ部材４６であれば、飲み口部４３、４４から着脱することが容易であるため、例えば、閉塞手段が螺合により係合する構成の蓋体のように、いちいち回動して着脱する手間を要さない。
よって、直飲式の携帯飲料容器の有する手軽に扱えるという利点も確保することができる。
【００６０】
また、上記紐状の部材４６ａは、飲み口部４３、４４に強固に締結しているため、急いで飲料Ａを飲もうとして飲み口部４３、４４からキャップ部材４６を外した後に、該キャップ部材４６を紛失してしまうことがない。
【００６１】
また、この発明は、上述の実施形態の構成のみに限定されるものではなく、多くの実施の形態を得ることができる。
【図面の簡単な説明】
【００６２】
【図１】本発明の携帯飲料容器の正面図。
【図２】本発明の蓋体を取り外した携帯飲料容器の平面図。
【図３】本発明の携帯飲料容器の要部の断面図。
【図４】本発明の携帯飲料容器の使用状態を示す説明図（ａ）、本発明の携帯飲料容器の他の使用状態を示す説明図（ｂ）。
【図５】本発明の他の携帯飲料容器の要部の正面図。
【図６】本発明の他の携帯飲料容器の要部の正面図。
【図７】本発明の他の携帯飲料容器の要部を一部断面で示した正面図。
【符号の説明】
【００６３】
１１、２５、３１、４１…携帯飲料容器
１３、２６、３２、４２…中栓
１２…胴部容器
１４…蓋体
１６、４６…閉塞手段
１８、１９、２７、２８、３３、３４、４３、４４…飲み口部
【図１】
2005193932.tif 000003
【図２】
2005193932.tif 000004
【図３】
2005193932.tif 000005
【図４】
2005193932.tif 000006
【図５】
2005193932.tif 000007
【図６】
2005193932.tif 000008
【図７】
2005193932.tif 000009